(57)【要約】【課題】造花の茎部を安定して支持することができる造花スタンドを提供する。【解決手段】全体がダンボール板１１，１２，１３で構成されたダンボール箱からなり、このダンボール箱をなす上面をなすダンボール板１１に、造花２０の茎部２１が貫通可能な複数の貫通孔１を設け、このダンボール箱の内部に、貫通孔１を貫通させた造花２０の茎部２１の周面及び端面の少なくとも一つが固定可能な固定部材２を設けた構成とする。【選択図】図１
2007332481.tif 000002
【特許請求の範囲】
【請求項１】
全体が板材で構成された箱体からなり、この箱体をなす少なくとも１つの板材に、造花の茎部を貫通可能な複数の貫通孔が設けられ、この箱体の内部に、前記貫通孔を貫通させた前記茎部の周面又は端面の少なくとも一方を固定可能な固定部材が設けられていることを特徴とする造花スタンド。
【請求項２】
前記固定部材は、前記茎部の周面を固定可能な複数の孔部が側面に設けられた板材で構成され、この板材の側面が前記貫通孔の貫通方向と略同一方向に設けられていることを特徴とする請求項１に記載の造花スタンド。
【請求項３】
前記固定部材は、前記茎部の周面を固定可能な複数の孔部が側面に設けられた板材を複数積層した積層体で構成され、この積層体をなす板材の側面が前記貫通孔の貫通方向と略同一方向に設けられていることを特徴とする請求項１に記載の造花スタンド。
【請求項４】
前記箱体をなす板材は、ダンボール板であることを特徴とする請求項１から３のいずれかに記載の造花スタンド。
【請求項５】
前記固定部材をなす板材は、ダンボール板であることを特徴とする請求項１から４のいずれかに記載の造花スタンド。
【請求項６】
請求項１から請求項５のいずれかに記載の造花スタンドを収納する収納ケースであって、
全体が箱体からなり、この箱体の内部に、造花を支持した状態の前記造花スタンドを収納可能な収納部が設けられていることを特徴とする造花スタンド用収納ケース。
【請求項７】
前記箱体をなす板材は、ダンボール板であることを特徴とする請求項６に記載の造花スタンド用収納ケース。
【発明の詳細な説明】
【技術分野】
【０００１】
本発明は、造花を支持するための造花スタンドと、この造花スタンドを収納したり搬送したりするための収納ケースに関するものである。
【背景技術】
【０００２】
従来、造花を販売する際の陳列台として使用したり、式典や葬式等の式場を造花で装飾する際の装飾台として使用したりするための造花スタンドとして、造花の茎部を立てた状態で支持するものが用いられている。
【０００３】
このような造花スタンドの一例として、特許文献１には、スポンジや発砲スチロール製の支持部材を備え、この支持部材に造花の茎部を直接差し込んで支持する花器が提案されている。
【特許文献１】特開２０００−２１０１７１号公報
【発明の開示】
【発明が解決しようとする課題】
【０００４】
しかしながら、上述した特許文献１に記載の花器においては、比較的強度の弱いスポンジや発泡スチロール製の支持部材に造花の茎部を直接差し込むことで凹部を形成し、この凹部で茎部の周面及び端面を支持するようにしているため、造花の茎部を安定して支持することが難しいという問題がある。
【０００５】
そこで、本発明は、上記事情に鑑みてなされたものであり、造花の茎部を安定して支持することができる造花スタンド及びその収納ケースを提供することを課題としている。
【課題を解決するための手段】
【０００６】
このような課題を解決するために、本発明に係る造花スタンドは、全体が板材で構成された箱体からなり、この箱体をなす少なくとも１つの板材に、造花の茎部を貫通可能な複数の貫通孔が設けられ、この箱体の内部に、前記貫通孔を貫通させた前記茎部の周面又は端面の少なくとも一方を固定可能な固定部材が設けられていることを特徴としている。
【０００７】
本発明に係る造花スタンドによれば、全体が板材で構成された板材からなり、この箱体をなす少なくとも一つの板材に設けられた複数の貫通孔と、箱体の内部に設けられた固定部材との二箇所で、造花の茎部を支持するようにしたため、造花の茎部を安定して支持することができる。
【０００８】
ここで、本発明に係る造花スタンドにおいて、前記固定部材は、前記茎部の周面を固定可能な複数の孔部が側面に設けられた板材で構成され、この板材の側面が前記貫通孔の貫通方向と略同一方向に配置されるようにしてもよい。
これによれば、造花の茎部を、貫通孔が設けられた板材に対して略垂直に立てた状態で安定して支持することが可能となる。
【０００９】
また、本発明に係る造花スタンドにおいて、前記固定部材は、前記茎部の周面を固定可能な複数の孔部が側面に設けられた板材を複数積層した積層体で構成され、この積層体をなす板材の側面が前記貫通孔の貫通方向と略同一方向に配置されるようにしてもよい。  
これによれば、造花の茎部を、貫通孔が設けられた板材に対して略垂直に立てた状態でより安定して支持することが可能となる。
また、茎部を固定する板材の位置を適宜変更することで、一度造花を貫通させた貫通孔に別の造花を差し替えることができるため、造花スタンドを繰り返し使用することができるとともに、造花の差し込み角度を調整することができる。
【００１０】
さらに、本発明に係る造花スタンドにおいて、前記箱体をなす板材は、ダンボール板で構成してもよい。
これによれば、造花スタンド全体を軽量で耐久性に優れた構成にできるため、造花スタンドの搬送性及び耐久性をより向上できるとともに、造花スタンドの製造に要するコストを低減できる。また、箱体をなす板材をダンボール板で構成することで、この箱体をなす板材に設けられた貫通孔の耐久性をより向上させることができるため、造花の茎部を長期間安定して支持することができるとともに、造花スタンドを繰り返し使用することができる。
【００１１】
さらに、本発明に係る造花スタンドにおいて、前記固定部材をなす板材は、ダンボール板で構成してもよい。
これによれば、固定部材を軽量で耐久性に優れた構成にできるため、造花スタンドの搬送性及び耐久性をより向上できるとともに、ダンボール板の側面に設けられた複数の孔部を、茎部を固定する孔部として用いることができるため、造花スタンドの製造に要するコストをより低減できる。また、固定部材をダンボール板で構成することで、造花の茎部を長期間安定して支持することができるとともに、造花スタンドを繰り返し使用することができる。
【００１２】
本発明に係る造花スタンド用収納ケースは、本発明に係る造花スタンドを収納する収納ケースであって、全体が箱体からなり、この箱体の内部に、造花を支持した状態の前記造花スタンドを収納可能な収納部が設けられていることを特徴としている。
【００１３】
本発明に係る造花スタンド用収納ケースによれば、本発明に係る造花スタンドに造花を支持した状態で収納可能な収納部が設けられているため、造花スタンドに造花を安定して支持した状態で、収納したり搬送したりすることができる。
【００１４】
また、本発明に係る造花スタンド用収納ケースにおいて、前記箱体をなす板材は、ダンボール板で構成してもよい。
これによれば、造花スタンド用収納ケース全体を軽量で耐久性に優れた構成にできるため、造花スタンド用収納ケースの搬送性及び耐久性をより向上させることができるとともに、造花スタンド用収納ケースの作製に要するコストを低減できる。
【発明の効果】
【００１５】
本発明に係る造花スタンドによれば、造花の茎部を安定して支持することが可能となる。
本発明に係る造花スタンド用収納ケースによれば、造花スタンドに造花を安定して支持した状態で、収納したり搬送したりすることが可能となる。
【発明を実施するための最良の形態】
【００１６】
以下、本発明の実施形態について図面を参照しながら説明する。
【００１７】
図１は、本発明に係る造花スタンドの一例を示す斜視図である。
この造花スタンド１０は、図１に示すように、全体がダンボール板（板材）で構成された略直方体状のダンボール箱（箱体）からなる。この造花スタンド１０をなすダンボール箱は、上下面をなす長方形状のダンボール板（板材）１１，１２と、上下面を囲むように設けられた側面をなす長方形状のダンボール板（板材）１３と、で構成されている。
【００１８】
この造花スタンド１０の上面をなすダンボール板１１には、図１（ａ）に示すように、造花の茎部を貫通可能な複数個（本実施形態では１０個）の貫通孔１が、等間隔で二列にわたって設けられている。ここで、貫通孔１の孔径は、造花の茎部を貫通させた状態で、茎部の周面を固定して支持するために、貫通させる茎部の外径以下とすることが好ましい。
【００１９】
また、この造花スタンド１０の下面をなすダンボール板１２は、図１（ｂ）に示すように、造花スタンド１０をなすダンボール箱に対して開閉自在となるように、その長辺をなす一端部１２Ａが側面をなすダンボール板１３に連結され、その長辺をなす他端部１２Ｂには、この下面をなすダンボール板１２を閉じた状態で固定する突起部３Ａが設けられている。
【００２０】
ここで、突起部３Ａは、造花スタンド１０の一側面をなすダンボール板１３の側面に設けられた凹部３Ｂに嵌合可能な第１の突起部３ａと、造花スタンド１０の一側面をなすダンボール板１３の内部側面に嵌合可能な第２の突起部３ｂと、で構成されている。
【００２１】
さらに、造花スタンド１０の上面をなすダンボール板１１の内部側には、このダンボール板１１に対して略垂直方向に突出した状態で固定部材２が設けられている。
【００２２】
この固定部材２は、長方形状のダンボール板（板材）が複数枚（本実施形態では３枚）積層されて貼り付けられた積層体で構成されている。この積層体をなす各ダンボール板は、その長辺が上下面をなすダンボール板１１，１２の長辺と略同一寸法で、その短辺が側面をなすダンボール板１３の短辺よりも短い寸法となっている。
【００２３】
また、固定部材２をなす各ダンボール板は、その側面に存在するダンボール板特有の孔部２Ａが略円形状となっている。この孔部２Ａの孔径は、造花スタンド１０に貫通させる茎部２１の外径以下となっている。
【００２４】
そして、この固定部材２は、その積層方向が上面をなすダンボール板１１に対して略垂直となるように、その長辺が、造花スタンド１０の上面をなすダンボール板１１の内部側に固定され、その短辺が、造花スタンド１０の側面をなすダンボール板１３の内部側に固定されている。
【００２５】
すなわち、本実施形態の造花スタンド１０では、複数のダンボール板の積層体からなる固定部材２において、積層体をなす各ダンボール板の側面に存在するダンボール板特有の孔部２Ａが、貫通孔１に貫通させた造花２０の茎部２１の周面を固定する孔部として機能するようになっている。
【００２６】
以下、本実施形態に係る造花スタンドの一使用例について図面を参照しながら説明する。
図２は、本発明に係る造花スタンドに造花を支持した状態を示す斜視図である。
【００２７】
まず、造花２０の茎部２１を、造花スタンド１０の上面をなすダンボール板１１の外部側から内部側に向かって、所定の貫通孔１を貫通させた後、固定部材２をなす積層体のうち、所定のダンボール板の側面に存在する孔部２Ａに、造花２０の茎部２１を貫通させた状態で固定する。
【００２８】
この時、固定部材２に貫通させる茎部２１の長さを変えることで、造花スタンド１０に支持する造花２０の高さを調整することができる。また、造花２０の茎部２１を固定する固定部材２の孔部２Ａを変えることで、造花スタンド１０に支持する造花２０の差込角度を調整することができる。
【００２９】
次に、このような手順で必要な複数の造花２０を全てセットした後、造花スタンド１０の下面をなすダンボール板１２を底面とした状態で、造花スタンド１０を店舗等の陳列台として使用する。
【００３０】
本実施形態に係る造花スタンド１０によれば、全体がダンボール箱で構成され、このダンボール箱の上面をなすダンボール板１１に設けられた貫通孔１に造花２０の茎部２１を貫通させた後、この茎部２１をダンボール箱の内部に設けられた固定部材２で固定する構成となっているため、造花２０の茎部２１は貫通孔１と固定部材２との二箇所で支持される。よって、この造花スタンド１０によれば、造花２０の茎部２１を安定して支持することができる。
【００３１】
さらに、本実施形態に係る造花スタンド１０によれば、造花２０の茎部２１を固定する固定部材２を複数のダンボール板を積層した積層体で構成することにより、茎部２１をより安定して支持することができる。
【００３２】
また、本実施形態に係る造花スタンド１０によれば、茎部２１を固定する固定部材２の孔部２Ａの位置を変えることで、一度造花２０を貫通させた貫通孔１に別の造花２０を差し替えることができるため、繰り返し使用することができる。
【００３３】
さらに、本実施形態に係る造花スタンド１０によれば、固定部材２をなす各ダンボール板の側面を、貫通孔１の貫通方向と略同一方向に設けたことにより、造花２０の茎部２１を、造花スタンド１０の上面をなすダンボール板に対して略垂直に安定して支持することができる。
【００３４】
さらに、本実施形態に係る造花スタンド１０によれば、その下面をなすダンボール板１２を開閉自在に設けたことにより、造花２０の茎部２１を貫通孔１に貫通させる作業や、茎部２１を固定部材２に固定する作業を、必要に応じて茎部２１の位置を確認しながら行うことができるため、所定位置に造花２０を安定して支持することができる。
【００３５】
なお、本実施形態に係る造花スタンド１０は、必要な造花２０を全てセットした状態で、店舗等の陳列台として使用する場合について説明したが、これに限らず、造花スタンド１０をなすダンボール箱の外面に式典や葬儀用等の装飾を施し、造花２０をセットした状態の造花スタンド１０をそのまま式典や葬儀等の装飾台として使用するようにしてもよい。
【００３６】
図３は、本発明に係る造花スタンドを収納する造花スタンド用収納ケースの一例を示す分解斜視図である。
【００３７】
この収納ケース３０は、図３に示すように、一部に開口面を有する略直方体状の下部ダンボール箱（箱体）３０Ａと、この下部ダンボール箱（箱体）３０Ａと略同一形状の上部ダンボール箱（箱体）３０Ｂとで構成されている。
【００３８】
ここで、下部ダンボール箱３０Ａ及び上部ダンボール箱３０Ｂは、それらの下面をなす略正方形のダンボール板と、それらの側面をなす略長方形状のダンボール板とからなり、それぞれ上面が開口した構成となっている。
【００３９】
また、下部ダンボール箱３０Ａ及び上部ダンボール箱３０Ｂにおいて、それらの下面をなすダンボール板の一辺は、収納する造花スタンド１０をなすダンボール箱の長辺と略同一寸法となっている。
【００４０】
下部ダンボール箱３０Ａには、その内部に、造花スタンド１０に造花２０を立てて支持した状態で収納可能な収納部３１が設けられている。この下部ダンボール箱３０Ａは、その側面をなす１対のダンボール板の対向面に、上述した造花スタンド１０の上面をなすダンボール板１１と側面をなすダンボール板１３との角部を支持可能な支持部材３１Ａがそれぞれ突設されている。
【００４１】
この支持部材３１Ａは、長方形状のダンボール板で構成され、このダンボール板の長辺は、下部ダンボール箱３０Ａの側面をなすダンボール板の短辺と略同一寸法となっている。
【００４２】
以下、本実施形態に係る造花スタンド用収納ケース３０の一使用例について説明する。
【００４３】
まず、必要な造花２０を全てセットした状態の造花スタンド１０を下部ダンボール箱３０Ａ内の収納部３１に収納する。このとき、造花スタンド１０の上面をなすダンボール板１１と側面をなすダンボール板１３の角部は、下部ダンボール箱３０Ａの内部に設けられた支持部材３１Ａで支持される。
【００４４】
次に、この下部ダンボール箱３０Ａの開口側に、上部ダンボール箱３０Ｂの開口側を対向させた状態で被せることで、造花２０を立てて支持した状態の造花スタンド１０を、造花スタンド用収納ケース３０内に収納することができる。
そして、この造花スタンド用収納ケース３０は、造花２０を立てて支持した状態の造花スタンド２０を、収納したり搬送したりする際に使用する。
【００４５】
本実施形態に係る造花スタンド用収納ケース３０によれば、下部ダンボール箱３０Ａの内部に、造花２０を立てて支持した状態の造花スタンド１０を収納可能な収納部３１を設けたことにより、造花２０を安定して支持した状態で、収納したり搬送したりすることができる。
【００４６】
また、本実施形態に係る造花スタンド用収納ケース３０によれば、軽量で耐久性に優れた構成にできるため、造花スタンド用収納ケース３０の搬送性及び耐久性をより向上させることができるとともに、造花スタンド用収納ケース３０の作製に要するコストを低減できる。
【００４７】
なお、本実施形態の造花スタンド用収納ケース３０においては、造花スタンド１０を収納可能な収納部３１を１つ設けた構成としたが、これに限らず、収納部３１を２つ以上設けた構成としてもよい。
【００４８】
また、本実施形態の造花スタンド用収納ケース３０においては、搬送性を考慮して、上部及び下部ダンボール箱３０Ａ，３０Ｂの少なくとも一部に把持部を設けるようにしても構わない。
【００４９】
さらに、本実施形態の造花スタンド用収納ケース３０においては、造花スタンド１０の収納部３１を有する下部ダンボール箱３０Ａと、蓋部として機能する上部ダンボール箱３０Ｂとで構成したが、これに限らず、全体が箱体からなり、その一面に蓋部を備え、その内部に造花スタンド１０の収納部３１を備えた構成としてもよい。
【図面の簡単な説明】
【００５０】
【図１】本発明に係る造花スタンドの一例を示す斜視図である。
【図２】本発明に係る造花スタンドの一使用例を示す斜視図である。
【図３】本発明に係る造花スタンド用収納ケースの一例を示す分解斜視図である。
【符号の説明】
【００５１】
１    貫通孔
２    固定部材
１０    造花スタンド
２０    造花
２１    茎部
３０    造花スタンド用収納ケース
３１    収納部
【図１】
2007332481.tif 000003
【図２】
2007332481.tif 000004
【図３】
2007332481.tif 000005